(57)【要約】【課題】有害動物の目標とする大きな個体だけを確実に捕獲できる自動捕獲装置を提供する。【解決手段】第１、２反射型フォトセンサー（５）（６）を有害動物（Ａ）の侵入方向（Ｆ）に沿い並列する前後一対として、箱罠（Ｔ）の上面へ固定設置し、焦電型赤外線センサー（４）が有害動物（Ａ）の侵入状態を検知した出力信号に基いて、両反射型フォトセンサー（５）（６）を起動させると共に、その起動中の両反射型フォトセンサー（５）（６）が同時に反応して、その何れも有害動物（Ａ）への投光により有害動物（Ａ）までの距離（Ｙ１）（Ｙ２）を測定した数値が、地面までの測定距離（Ｈ）として予じめ設定された数値以下であると検知した時に出力する信号に基いて、コントローラー（７）が上記箱罠（Ｔ）における出入口開閉扉（Ｄ）のトリガー（２）を解放すべく作動制御する。【選択図】図８
2019076024.tif 000002
【特許請求の範囲】
【請求項１】
箱罠と、その出入口の昇降可能な開閉扉と、その開閉扉を上記箱罠の出入口から上昇した開扉状態に仮り止め保持するトリガーと、そのトリガーを解放して上記出入口の閉扉状態に作動制御するコントローラーと、上記箱罠に対する有害動物の侵入状態を検知する焦電型赤外線センサーと、その侵入した有害動物への投光により、その有害動物までの距離を測定する反射型フォトセンサーとを備えた有害動物の自動捕獲装置において、
上記反射型フォトセンサーを有害動物の侵入方向に沿い並列する前後一対として、上記箱罠の上面へ固定設置し、
上記焦電型赤外線センサーが有害動物の侵入状態を検知した出力信号に基いて、前後一対の反射型フォトセンサーを起動させると共に、
その起動中の両反射型フォトセンサーが同時に反応して、その何れも有害動物への投光により有害動物までの距離を測定した数値が、地面までの測定距離として予じめ設定された数値以下であると検知した時に出力する信号に基いて、コントローラーが開閉扉のトリガーを解放すべく作動制御することを特徴とする大きな有害動物の自動捕獲装置。
【請求項２】
箱罠と、その出入口の昇降可能な開閉扉と、その開閉扉を上記箱罠の出入口から上昇した開扉状態に仮り止め保持するトリガーと、そのトリガーを解放して上記出入口の閉扉状態に作動制御するコントローラーと、上記箱罠に対する有害動物の侵入状態を検知する焦電型赤外線センサーと、その侵入した有害動物への投光により、その有害動物までの距離を測定する反射型フォトセンサーとを備えた有害動物の自動捕獲装置において、
上記反射型フォトセンサーを有害動物の侵入方向に沿い並列する前後一対として、上記箱罠の上面へ固定設置し、
上記焦電型赤外線センサーが有害動物の侵入状態を検知した出力信号に基いて、前後一対の反射型フォトセンサーを起動させると共に、
その起動中の両反射型フォトセンサーが同時に反応して、その何れも有害動物への投光により有害動物までの距離を測定した数値が、捕獲すべき有害動物までの最長距離として予じめ設定された数値以下であると検知した時に出力する信号に基いて、コントローラーが開閉扉のトリガーを解放すべく作動制御することを特徴とする大きな有害動物の自動捕獲装置。
【請求項３】
両反射型フォトセンサーの前後相互間隔を捕獲目標とする有害動物の大きさに応じて、予じめ広く又は狭く設定できるように定めたことを特徴とする請求項１又は２記載の大きな有害動物の自動捕獲装置。
【発明の詳細な説明】
【技術分野】
【０００１】
本発明は有害動物の目標とする大きな個体だけを確実に捕獲できる自動捕獲装置に関する。
【背景技術】
【０００２】
本発明の出願人は特許文献１に記載の特許発明を実施して、現在までに相当の成果を収めることができた。
【０００３】
この特許発明に係る有害動物の捕獲装置では、箱罠（Ｃ）の内部へ侵入した有害動物（Ａ）を焦電型赤外線センサー（４）が検知した時、その検知出力信号に基いて別な反射型光電スイッチ（５）を起動させ、これからの投光を上記有害動物（Ａ）へ当てて、その有害動物（Ａ）との距離を測定することにより検知した個体の大きさが、予じめ設定された大きさ以上である時に、その光電スイッチ（５）の検知出力信号を受けたマイクロコントローラー（６）が、箱罠（Ｃ）の開閉扉用トリガー（２）を解放して、その出入口（１）の閉扉状態に作動制御するようになっている。
【先行技術文献】
【特許文献】
【０００４】
【特許文献１】特許第５６９６９９７号公報
【発明の概要】
【発明が解決しようとする課題】
【０００５】
ところが、上記特許発明の構成では有害動物における捕獲したい大きさの目標数値（上記反射型光電スイッチの測定距離）を、有害動物の種別などに応じて大きく又は小さく調整した状態として、予じめ正しく設定しておいたとしても、使用中箱罠の内部に餌の残りが堆積すると、それだけ地面（又は箱罠の底面）が次第に盛り上がり、その設定された目標数値が狂う（変化する）ため、目標数値よりも小さい個体を誤って捕獲してしまうおそれがあり、信頼性に劣る。
【課題を解決するための手段】
【０００６】
本発明はこのような課題の改良を目的としており、その目的を達成するために、請求項１では箱罠と、その出入口の昇降可能な開閉扉と、その開閉扉を上記箱罠の出入口から上昇した開扉状態に仮り止め保持するトリガーと、そのトリガーを解放して上記出入口の閉扉状態に作動制御するコントローラーと、上記箱罠に対する有害動物の侵入状態を検知する焦電型赤外線センサーと、その侵入した有害動物への投光により、その有害動物までの距離を測定する反射型フォトセンサーとを備えた有害動物の自動捕獲装置において、
【０００７】
上記反射型フォトセンサーを有害動物の侵入方向に沿い並列する前後一対として、上記箱罠の上面へ固定設置し、
【０００８】
上記焦電型赤外線センサーが有害動物の侵入状態を検知した出力信号に基いて、前後一対の反射型フォトセンサーを起動させると共に、
【０００９】
その起動中の両反射型フォトセンサーが同時に反応して、その何れも有害動物への投光により有害動物までの距離を測定した数値が、地面までの測定距離として予じめ設定された数値以下であると検知した時に出力する信号に基いて、コントローラーが開閉扉のトリガーを解放すべく作動制御することを特徴とする。
【００１０】
また、請求項２では箱罠と、その出入口の昇降可能な開閉扉と、その開閉扉を上記箱罠の出入口から上昇した開扉状態に仮り止め保持するトリガーと、そのトリガーを解放して上記出入口の閉扉状態に作動制御するコントローラーと、上記箱罠に対する有害動物の侵入状態を検知する焦電型赤外線センサーと、その侵入した有害動物への投光により、その有害動物までの距離を測定する反射型フォトセンサーとを備えた有害動物の自動捕獲装置において、
【００１１】
上記反射型フォトセンサーを有害動物の侵入方向に沿い並列する前後一対として、上記箱罠の上面へ固定設置し、
【００１２】
上記焦電型赤外線センサーが有害動物の侵入状態を検知した出力信号に基いて、前後一対の反射型フォトセンサーを起動させると共に、
【００１３】
その起動中の両反射型フォトセンサーが同時に反応して、その何れも有害動物への投光により有害動物までの距離を測定した数値が、捕獲すべき有害動物までの最長距離として予じめ設定された数値以下であると検知した時に出力する信号に基いて、コントローラーが開閉扉のトリガーを解放すべく作動制御することを特徴とする。
【００１４】
更に、請求項３では両反射型フォトセンサーの前後相互間隔を捕獲目標とする有害動物の大きさに応じて、予じめ広く又は狭く設定できるように定めたことを特徴とする。
【発明の効果】
【００１５】
請求項１の上記構成によれば、冒頭に述べた従来技術の課題を容易に改良でき、有害動物の目標とする大きな個体だけを確実に捕獲し得る効果がある。
【００１６】
つまり、有害動物の侵入状態を検知した焦電型赤外線センサーの出力信号に基き、その起動中にある第１、２反射型フォトセンサーが同時に反応して、何れも有害動物への投光により有害動物までの距離を測定することは、その有害動物の大きさ（胴長さ）を検知することにほかならず、そのため上記反射型フォトセンサーからの検知出力信号に基いて、コントローラーが開閉扉のトリガーを解放すべく作動制御することにより、有害動物の目標とする大きな個体だけを確実に捕獲でき、誤って小さな個体（幼獣）を捕獲してしまうおそれはない。
【００１７】
その場合、第１、２反射型フォトセンサーにより有害動物までの距離を測定した数値と言わば比較されるべき予じめの設定値（基準値）は、地面までの測定距離として一定不変であるため、箱罠の内部に餌の残りが堆積して、有害動物における捕獲したい大きさ（背丈）の設定値が経時的に変化しても（狂っても）、その悪影響を受けることはない。その結果、上記大きさ（背丈）の設定値を再三調整しなければならない煩雑な作業が不要となる。
【００１８】
他方、請求項２の構成によれば、請求項１の上記構成に比して、捕獲したい有害動物の大きさを予じめ設定するに当り、その胴長さの設定のみならず、背丈の設定も行う必要があるとしても、その背丈も検知した第１、２反射型フォトセンサの出力信号により、コントローラーが開閉扉のトリガーを解放すべく作動制御するようになっているため、有害動物の目標とする大きな個体だけを完全に捕獲することができ、その信頼性に優れる。
【００１９】
何れにしても、請求項３の構成を採用するならば、捕獲目標とする有害動物の大きさ（胴長さ）に応じて、第１、２反射型フォトセンサーの前後相互間隔を予じめ広く（長く）又は狭く（短く）調整・設定しておくことにより、自動捕獲装置としての汎用性や使用上の利便性が著しく向上する。
【図面の簡単な説明】
【００２０】
【図１】本発明に係る有害動物の自動捕獲装置をその箱罠の開扉状態として示す全体概略斜面図である。
【図２】図１の要部を拡大して示す側断面図である。
【図３】図２の３−３線に沿う拡大断面図である。
【図４】箱罠の閉扉状態を示す図２に対応する側断面図である。
【図５】自動捕獲装置の電気配線系統を示すブロック図である。
【図６】トリガーの変形実施形態を示す図１に対応する概略側面図である。
【図７】基本仕様の捕獲作用を示すフローチャートである。
【図８】図７に対応する大きな有害動物の検知作用を示す説明図である。
【図９】同じく基本仕様の非捕獲作用を示すフローチャートである。
【図１０】図９に対応する小さな有害動物の検知作用を示す説明図である。
【図１１】変形仕様の捕獲作用を示すフローチャートである。
【図１２】図１１に対応する有害動物の検知作用を示す説明図である。
【発明を実施するための形態】
【００２１】
以下、図面に基いて本発明の好適な実施形態を詳述すると、その有害動物の自動捕獲装置は図１〜５のような１個の出入口（１）を有する堅牢な箱罠（檻）（Ｔ）と、その出入口（１）の開閉扉（Ｄ）と、その開閉扉（Ｄ）を出入口（１）から上昇した開扉状態に仮り止め保持するトリガー（２）と、そのトリガー（２）を解放して、上記開閉扉（Ｄ）を出入口（１）の閉扉状態に落下させるアクチュエーター（３）と、上記箱罠（Ｔ）に対する有害動物（Ａ）の侵入状態を検知する１個の焦電型赤外線センサー（４）と、その赤外線センサー（４）が有害動物（Ａ）の侵入状態を検知した出力信号に基いて起動されることにより、その有害動物（Ａ）における個体の大きさを検知する前後一対の第１、２反射型フォトセンサー（５）（６）と、その第１、２反射型フォトセンサー（５）（６）が同時に反応して、上記個体の大きいことを検知した時、そのフォトセンサー（５）（６）の検知出力信号に基いて上記アクチュエーター（３）をトリガー（２）が解放するように作動制御するためのコントローラー（制御装置／電気制御回路基板）（７）とを備え、有害動物（Ａ）の目標とする大きな個体だけを自づと確実に捕獲でき、小さな個体（幼獣）を誤って捕獲しないようになっている。
【００２２】
上記コントローラー（７）とこれに接続配線されたアクチュエーター（３）、上記焦電型赤外線センサー（４）、上記第１、２反射型フォトセンサー（５）（６）の何れか一方（図例では前側の第１反射型フォトセンサー）並びにその他の後述する電装品は、１個の共通する制御ボックス（Ｃ）に内蔵されており、他方の反射型フォトセンサー（図例では後側の第２反射型フォトセンサー）（６）を内蔵した別個なセンサーボックス（Ｓ）と上記制御ボックス（Ｃ）とが、適当な長さのケーブル（８）を介して電気的に接続配線されている。
【００２３】
上記主要な構成部材のうち、先ず箱罠（檻）（Ｔ）はフラットバーやアングル形鋼、チャンネル形鋼、鉄筋などの強固な縁取り骨材（９）から、鹿や猪、熊、その他の各種有害動物（Ａ）を自由に受け入れることができる大きさのほぼ直方体（例えば幅：約１ｍ×長さ：約２ｍ×高さ：約１ｍ）に枠組み一体化されており、その出入口（１）を除く５面（上下両面と囲い壁面）が、悉く金属格子や金網（ワイヤーラス）、メタルラス、その他の交錯線条材（１０）から、内部全体を透視できる形態に作成されている。
【００２４】
（１１）は上記箱罠（Ｔ）の出入口（１）を形作る左右一対の背高い昇降ガイド支柱（開口枠）であって、向かい合う溝レール（１２）を有するチャンネル形鋼から成り、これに沿って出入口（１）の開閉扉（Ｄ）が昇降するようになっている。その開閉扉（Ｄ）も金属格子やメタルラスなどの交錯線条材（１３）と、その周囲の正方形又は長方形な縁取り骨材（１４）とから作成されている。
【００２５】
上記開閉扉（Ｄ）は自重落下式であって、その出入口（１）の開扉状態（上昇状態）を示した図１、２から明白なように、一定の長さを有する扉吊持ワイヤー（１５）の切り離し端部（基端部）が、上記開閉扉（Ｄ）の下端中央部に取り付け固定されていると共に、その開閉扉（Ｄ）の下端中央部から箱罠（Ｔ）の上面に沿って後方へ引き出された扉吊持ワイヤー（１５）の半折り中間部（先端部）が下向きの係止フック（１６）として、丸棒材から成るストッパー（１７）の円周面ヘ巻き掛け状態に係止されている。
【００２６】
そのストッパー（１７）は前後方向に沿って延在する一定長さのピン形状をなし、図１、２のように箱罠（Ｔ）の上面へ内側から当てがわれて、その上面の交錯線条材（１０）と係止した状態にあるが、その状態のままでは扉吊持ワイヤー（１５）を介して、開閉扉（Ｄ）の重量を受担するため、そのワイヤー（１５）との係止状態を到底維持することができず、飛散してしまうことになる。
【００２７】
この事態を防ぐための上記トリガー（２）は、図１、２のような左右方向に沿って延在する一定長さの板材や棒材から成り、箱罠（Ｔ）の上面へやはり内側から上記ストッパー（１７）と平面視での交叉（好ましくは直交）する関係状態に当てがわれて、そのストッパー（１７）を上方から押え付け拘束することにより、上記開閉扉（Ｄ）を図１、２のような箱罠（Ｔ）の出入口（１）から上昇した開扉状態に仮り止め保持する。
【００２８】
つまり、上記扉吊持ワイヤー（１５）の先端部へ係脱自在に係止されるストッパー（１７）と、そのストッパー（１７）を上方から押え付け拘束するトリガー（２）とによって、上記開閉扉（Ｄ）が昇降し得る人工的な仕掛けを形作っており、そのトリガー（２）をアクチュエーター（３）によって前後方向へ進退（移動）させるようになっているのである。但し、その場合ストッパー（１７）は飛散しないように、これを扉吊持ワイヤー（１５）の先端部へ予じめ取り付け一体化しておいても良い。
【００２９】
上記トリガー（２）のアクチュエーター（３）は図例の場合、バッテリ（１８）を直流電源として回転駆動されるモーターから成り、そのモーター出力軸（１９）上のリール（２０）に巻き付けられる索条（紐やロープ、ワイヤーなど）（２１）の先端部が、上記トリガー（２）に取り付け固定されている。
【００３０】
そのトリガー（２）をアクチュエーター（モーター）（３）によって図４のように引き戻し後退させれば、上記扉吊持ワイヤー（１５）の先端部にあるストッパー（１７）と、トリガー（２）との係止状態が解除されることになるため、上記開閉扉（Ｄ）が自重によって瞬時に落下し、その箱罠（Ｔ）における出入口（１）の閉扉状態を得られる。
【００３１】
図１〜５では一定長さの板材や棒材から成るトリガー（２）を、アクチュエーター（モーター）（３）の回転によって進退（移動）させているが、図６の変形実施形態に示すような上記扉吊持ワイヤー（１５）の先端部に取り付けられた鉄やニッケル、フェライトなどの磁性体（２２）と、上記制御ボックス（Ｃ）に固定支持された電磁ホルダー（２３）とから成る電子トリガー（マグネット式仕掛け）（２４）を採用し、そのバッテリ（１８）から給電されていない状態において磁力を発生する電磁ホルダー（２３）が、磁性体（２２）を吸着することにより、上記出入口（１）の開閉扉（Ｄ）を上昇させた開扉状態に仮り止め保持すると共に、上記電磁ホルダー（２３）へ給電すれば、そのホルダー（２３）は磁力を発生せず、上記吸着力が解除されることにより、開閉扉（Ｄ）は瞬時に落下して、その出入口（１）を閉扉状態に保つように定めても良い。
【００３２】
先に一言した制御ボックス（Ｃ）は、防錆処理した金属製又は高強度な合成樹脂製のボックス本体（２５）とその開閉蓋（２６）とから成り、上記箱罠（Ｔ）の上面へ図１〜４のように、外側から取り付け固定されるようになっている。その制御ボックス（Ｃ）の大きさは一例として、幅：約１３cm×長さ：約２３cm×高さ：約１１cmのほぼ直方体であり、約１kgの重量を有する。
【００３３】
この点、図例のボックス本体（２５）は断面ほぼＵ字形の合成樹脂成形品であり、これに同じ合成樹脂から成形された断面ほぼ倒立Ｕ字形の開閉蓋（２６）が、一対の水平なヒンジ（蝶番）（２７）を介して起伏的な回動自在に枢着されているが、その内部の防水状態に保たれるならば、上記制御ボックス（Ｃ）のボックス本体（２５）とその開閉蓋（２６）とを着脱自在（分離可能）に組み立てても良い。
【００３４】
そして、上記ボックス本体（２５）の底面を図２〜４に示す如く、内側から複数の短かいボルト（２８）によって、枕木（２９）へ取り付け固定する。他方、上記箱罠（Ｔ）の上面へ内側から座金（３０）を水平に当てがうと共に、上記枕木（２９）をやはりボックス本体（２５）の内側から複数の長いボルト（３１）によって、上記座金（３０）のネジ孔（３２）へ螺合締結するのである。
【００３５】
そうすれば、上記短かいボルト（２８）と長いボルト（３１）の何れも、ボックス本体（２５）の内側からでなければ、工具を使って回動操作できないため、その閉蓋された制御ボックス（Ｃ）を、箱罠（Ｔ）へ盗難のおそれがない状態に固定維持することができることになる。（３３）は上記ボックス本体（２５）とその開閉蓋（２６）との閉合片（３４）へ、抜き差し自在に差し込み貫通された錠前であり、これによる施錠も盗難防止に役立つ。
【００３６】
但し、上記座金（３０）のネジ孔（３２）に対する長いボルト（３１）の螺合締結に代えて、そのボックス本体（２５）の枕木（２９）を箱罠（Ｔ）の上面における交錯線条材（１０）へ、図外の結束線材などによって巻き付け固定しても良く、その箱罠（Ｔ）への取り付け固定手段は適当に選定することができる。
【００３７】
上記制御ボックス（Ｃ）の就中ボックス本体（２５）には図２〜４から明白なように、上記トリガー（２）のアクチュエーター（モーター）（３）を初め、その直流電源のバッテリ（１８）、コントローラー（制御装置／電気制御回路基板）（７）、操作板（３５）、焦電型赤外線センサー（４）並びに第１、２反射型フォトセンサー（５）（６）の何れか一方（図例では前側の第１反射型フォトセンサー）が内蔵設置されている。
【００３８】
その場合、図例の操作板（３５）は倒立Ｌ字型の金属板から成り、その水平板片（３５ａ）の下面（裏側）にコントローラー（７）が付属一体化されていると共に、同じく金属板の垂直板片（３５ｂ）に面ファスナー（３６）などの固定具を介して、上記バッテリ（１８）が着脱自在に貼り付けられている。
【００３９】
（３７）は上記ボックス本体（２５）内の底面に固定設置された取付台盤であって、合板や合成樹脂板などの電気絶縁材から成り、これに上記トリガー（２）のアクチュエーター（モーター）（３）や操作板（３５）、焦電型赤外線センサー（４）、第１、２反射型フォトセンサー（５）（６）の何れか一方（図例では前側の第１反射型フォトセンサー）が取り付けられている。
【００４０】
その第１反射型フォトセンサー（５）は図８のような投光部（５ａ）と受光部（５ｂ）とを備えた反射型（好ましくは反射ミラーの不要な直接／拡散反射型）のフォトセンサー（光電スイッチ）として、焦電型赤外線センサー（４）と同じく上記取付台盤（３７）へ下向き状態に埋設されている。（３８）（３９）は上記ボックス本体（２５）の底面に開口分布された前後一対の光透過孔、（４０）は上記バッテリ（１８）を受け持つクッション座である。
【００４１】
また、上記制御ボックス（Ｃ）のボックス本体（２５）には外部から操作できる電源スイッチ（４１）が取り付けられており、その電源スイッチ（４１）と上記焦電型赤外線センサー（４）並びに第１、２反射型フォトセンサー（５）（６）は図５のブロック図に示す如く、すべて上記コントローラー（７）に接続配線されているが、その電気配線は図示省略してある。
【００４２】
上記焦電型赤外線センサー（４）は有害動物（Ａ）の動き（受光する熱線量の変化）に反応して、その箱罠（Ｔ）に対する有害動物（Ａ）の侵入状態を検知するものであり、図例ではこれを箱罠（Ｔ）の上面に固定設置しているが、その箱罠（Ｔ）に対する有害動物（Ａ）の侵入状態を検知できる限り、箱罠（Ｔ）の囲い壁面や出入口（１）の付近に固定設置しても良く、また箱罠（Ｔ）から離れた適当個所に据え付けてもさしつかえない。
【００４３】
更に、他方の反射型フォトセンサー（図例では後側の第２反射型フォトセンサー）（６）を内蔵するセンサーボックス（Ｓ）も図１、２のように、上記制御ボックス（Ｃ）と同じくボックス本体（４２）とその開閉蓋（４３）とから、比較的小型のほぼ直方体に作成されており、そのボックス本体（４２）の底面が上記箱罠（Ｔ）の上面へ、やはり盗難のおそれがない状態に取り付け固定されている。
【００４４】
そして、上記ボックス本体（４２）内の底面にはやはり電気絶縁材から成る取付台盤（４４）が固定設置されており、その取付台盤（４４）に上記第２反射型フォトセンサー（６）が下向き状態に埋設されている。その第２反射型フォトセンサー（６）も上記第１反射型フォトセンサー（５）と同じく、図８のような投光部（６ａ）と受光部（６ｂ）を備えた反射型（望ましくは反射ミラーの不要な直接／拡散反射型）のフォトセンサー（光電スイッチ）である。（４５）はそのボックス本体（４２）の底面に開口形成された光透過孔である。
【００４５】
尚、そのセンサーボックス（Ｓ）内の第２反射型フォトセンサー（６）が図５のブロック図に示す如く、上記制御ボックス（Ｃ）内の第１反射型フォトセンサー（５）やコントローラー（７）などと電気的に接続配線されていることは言うまでもない。
【００４６】
何れにしても、上記第１、２反射型フォトセンサー（５）（６）はその各別な制御ボックス（Ｃ）とセンサーボックス（Ｓ）を介して箱罠（Ｔ）の上面へ、その箱罠（Ｔ）の出入口（１）から侵入する有害動物（Ａ）の侵入方向（前後方向）（Ｆ）に沿い並列する前後一対として固定設置されており、その何れも有害動物（Ａ）へ投光して、有害動物（Ａ）までの距離（Ｙ１）（Ｙ２）を測定することにより、その有害動物（Ａ）の大きさ（背丈）を検知するようになっている。
【００４７】
しかも、その前後一対の第１、２反射型フォトセンサー（５）（６）は同時に反応して、上記有害動物（Ａ）からの反射光を受けることにより、その有害動物（Ａ）の大きさ（所謂胴長さ）を検知するようになっている。
【００４８】
そのため、両反射型フォトセンサー（５）（６）の前後相互間隔（Ｌ）を有害動物（Ａ）の種別やその捕獲したい個体の大きさ（胴長さ）などに応じて、予じめ広く（長く）又は狭く（短く）調整・設定しておくことにより、目標とする動物種の大きな個体だけを捕獲できることになる。
【００４９】
つまり、図７〜１０の基本仕様に示す如く、第１、２反射型フォトセンサー（５）（６）の電源オンした初期動作時に、予じめ地面までの距離（Ｈ）を自動測定し、その測定した一定距離（Ｈ）を言わば不変の設定値（基準値）（Ｈ）として確保しておけば、上記第１、２反射型フォトセンサー（５）（６）により有害動物（Ａ）までの距離（Ｙ１）（Ｙ２）を測定した数値は、必らずその設定値（基準値）（Ｈ）以下となるため、上記第１、２反射型フォトセンサー（５）（６）の同時反応により有害動物（Ａ）の大きさ（胴長さ）を検知した結果に基いて、その捕獲すべき個体の大きさを決めれば良い。
【００５０】
但し、予じめ地面までの距離（Ｈ）を測定することにより、その測定値（Ｈ）を一定不変の設定値（基準値）（Ｈ）として確保しておくことをせず、図１１、１２の変形仕様に示す如く、第１、２反射型フォトセンサー（５）（６）が測定する有害動物（Ａ）までの最長距離（ｈ）を、有害動物（Ａ）の種別やその捕獲したい個体の大きさ（背丈）などに応じて、予じめ長く（遠く）又は短く（近く）調整・設定しておくことにより、有害動物（Ａ）における上記胴長さの検知のみならず、背丈も検知した結果に基いて、その捕獲すべき個体の大きさを決めても良い。
【００５１】
つまり、第１、２反射型フォトセンサー（５）（６）により有害動物（Ａ）までの距離（Ｙ１）（Ｙ２）を測定した数値が、捕獲すべき有害動物（Ａ）までの最長距離（ｈ）として予じめ設定された数値以下であれば、その有害動物（Ａ）はボーダーレベル（Ｂ−Ｂ）よりも高い背丈の大きな個体として検知されたことになるため、これを捕獲する一方、第１、２反射型フォトセンサー（５）（６）による上記距離（Ｙ１）（Ｙ２）の測定値が最長距離（ｈ）としての設定値以上であれば、その有害動物（Ａ）はボーダーレベル（Ｂ−Ｂ）よりも低い背丈の小さな個体として検知された意味であるため、これを捕獲せず、見逃すことにする。
【００５２】
次に、本発明の使用による有害動物（Ａ）の捕獲方法を説明すると、その箱罠（檻）（Ｔ）を目標とする鹿や猪、熊などの有害動物（Ａ）が出没する現場に据付けた上、図１、２のように、その扉吊持ワイヤー（１５）の先端部を後方へ引き出す一方、箱罠（Ｔ）の上面に固定されている制御ボックス（Ｃ）から、アクチュエーター（モーター）（３）の索条（２１）を逆な前方へ導出させて、その扉吊持ワイヤー（１５）側のストッパー（１７）とアクチュエーター（３）側のトリガー（２）とを係脱自在に係止させることにより、その箱罠（Ｔ）における出入口（１）の開閉扉（Ｄ）を上昇した開扉状態に仮り止め保持し、有害動物（Ａ）が侵入できるように準備する。
【００５３】
そして、図７、８の基本仕様に示す如く、上記制御ボックス（Ｃ）内の第１反射型フォトセンサー（５）とセンサーボックス（Ｓ）内の第２反射型フォトセンサー（６）とを初期動作させて、これらから地面までの距離（Ｈ）を自動測定し、その測定距離（Ｈ）を一定不変の設定値（基準値）として確保しておく。
【００５４】
他方、目標とする有害動物（Ａ）が好む図外の餌を、上記箱罠（Ｔ）の出入口（１）から内部まで誘導状態に並べ置き、上記設定後に閉蓋・施錠した制御ボックス（Ｃ）の電源スイッチ（４１）を、使用者が外部からオン操作して、箱罠（Ｔ）の据付け現場から立ち去れば良い。
【００５５】
このような準備状態での待機中に、その箱罠（Ｔ）の内部へ有害動物（Ａ）が侵入し、その存在が焦電型赤外線センサー（４）によって検知された時には、図７のフローチャートから明白なように、その焦電型赤外線センサー（４）の検知出力信号を受けたコントローラー（７）により、前後一対の第１、２反射型フォトセンサー（５）（６）が何れも起動されることになる。
【００５６】
そして、その起動中にある両反射型フォトセンサー（５）（６）が同時に反応して、上記侵入状態の有害動物（Ａ）へ各々投光することにより、その有害動物（Ａ）までの距離（Ｙ１）（Ｙ２）を測定し、その測定された数値は上記地面までの測定距離（Ｈ）として予じめ設定された数値（基準値）よりも、必らず小さいものとして検知されることになるが、両反射型フォトセンサー（５）（６）の同時反応により上記有害動物（Ａ）の大きさ（胴長さ）が検知されているため、その検知出力信号を受けた上記コントローラー（７）により、アクチュエーター（３）がそのトリガー（２）を図２から図４のように解放（引き戻し後退）すべく作動制御し、箱罠（Ｔ）における出入口（１）の開閉扉（Ｄ）を瞬時に落下させて、その有害動物（Ａ）の目標とする大きな個体だけを確実に捕獲するのである。
【００５７】
この点、図７、８と対応する捕獲しない作用を示す図９、１０から示唆されるように、第１、２反射型フォトセンサー（５）（６）の何れか一方（図例では前側の第１反射型フォトセンサー）は、箱罠（Ｔ）内の侵入した有害動物（Ａ）に反応して、その有害動物（Ａ）までの距離（Ｙ１）を測定しているが、残る他方（図例では後側の第２反射型フォトセンサー）は有害動物（Ａ）に反応しておらず、その有害動物（Ａ）までの距離（Ｙ２）は言わば無測定（零）として、予じめの設定値である地面までの距離（Ｈ）と同等となるため、上記コントローラー（７）を制御するための検知出力信号は発生しない。
【００５８】
つまり、第１、２反射型フォトセンサー（５）（６）が同時に反応して、その何れも箱罠（Ｔ）内に居る有害動物（Ａ）までの距離（Ｙ１）（Ｙ２）を測定・検知しない限り、その有害動物（Ａ）を捕獲すべき目標とする大きさの個体とはみなさず、これによって目標よりも小さい個体（幼獣）までも誤って捕獲しないようになっているのである。
【００５９】
図１１、１２は図７〜１０と対応する変形仕様の作用説明図であるが、これでは第１、２反射型フォトセンサー（５）（６）が同時に反応して、有害動物（Ａ）の胴長さを検知した結果だけでなく、その有害動物（Ａ）の背丈を検知した結果にも基いて、捕獲すべき個体の大きさを決めるために、上記第１、２反射型フォトセンサー（５）（６）が測定する有害動物（Ａ）までの最長距離（ｈ）を、予じめ長く（遠く）又は短く（近く）設定している。
【００６０】
そして、焦電型赤外線センサー（４）が有害動物（Ａ）の侵入状態を検知した出力信号に基いて、前後一対の第１、２反射型フォトセンサー（５）（６）が起動し、その起動中の両反射型フォトセンサー（５）（６）が同時に反応して、その何れも有害動物（Ａ）までの距離（Ｙ１）（Ｙ２）を測定した数値が、捕獲すべき有害動物（Ａ）までの最長距離（ｈ）として予じめ設定された数値以下であると検知した時に出力する信号に基いて、上記コントローラー（７）が開閉扉（Ｄ）のトリガー（２）を解放すべく作動制御するようになっている。
【００６１】
この点、図１１、１２の第１、２反射型フォトセンサー（５）（６）による有害動物（Ａ１）（Ａ２）までの測定距離（Ｙ１）（Ｙ２）は、予じめ設定された最長距離（ｈ）よりも大きな数値であり、その有害動物（Ａ１）（Ａ２）は捕獲目標とする個体の大きさ（背丈）よりも小さい意味となるため、たとえ両反射型フォトセンサー（５）（６）が同時に反応したとしても、コントローラー（７）を制御するための検知出力信号は発生せず、上記有害動物（Ａ１）（Ａ２）を捕獲しないのである。
【符号の説明】
【００６２】
（１）・出入口
（２）・トリガー
（３）・アクチュエーター（モーター）
（４）・焦電型赤外線センサー
（５）・第１反射型フォトセンサー
（６）・第２反射型フォトセンサー
（７）・コントローラー
（１１）・昇降ガイド支柱（開口枠）
（１５）・扉吊持ワイヤー
（１８）・バッテリ
（２１）・索条
（２４）・電子トリガー
（２５）（４２）・ボックス本体
（２６）（４３）・開閉蓋
（３５）・操作板
（３７）（４４）・取付台盤
（３８）（３９）（４５）・光透過孔
（Ａ）・有害動物
（Ｂ−Ｂ）・ボーダーレベル
（Ｃ）・制御ボックス
（Ｄ）・開閉扉
（Ｓ）・センサーボックス
（Ｔ）・箱罠
（Ｆ）・有害動物の侵入方向（前後方向）
（Ｈ）・地面までの測定距離（設定値）
（ｈ）・有害動物までの最長距離（設定値）
（Ｌ）・反射型フォトセンサーの前後相互間隔
（Ｙ１）（Ｙ２）・有害動物までの測定距離
【図１】
2019076024.tif 000003
【図２】
2019076024.tif 000004
【図３】
2019076024.tif 000005
【図４】
2019076024.tif 000006
【図５】
2019076024.tif 000007
【図６】
2019076024.tif 000008
【図７】
2019076024.tif 000009
【図８】
2019076024.tif 000010
【図９】
2019076024.tif 000011
【図１０】
2019076024.tif 000012
【図１１】
2019076024.tif 000013
【図１２】
2019076024.tif 000014